(57)【要約】【課題】レンズ装置が発光部を有する場合において、ライブビュー映像や被写体までの距離によらずに発光部を適切に制御する。【解決手段】レンズ装置１は、撮像装置５に取り外し可能に装着される。レンズ装置は、被写体を照明する光を発する発光手段２と、該光により照明された被写体からの反射光を受光する受光手段３と、該受光手段の出力を用いて反射光の輝度に関する輝度情報を生成し、該輝度情報に応じて発光手段を制御する制御手段１０１とを有する。【選択図】図１
2017142410.tif 000002
【特許請求の範囲】
【請求項１】
撮像装置に取り外し可能に装着されるレンズ装置であって、
被写体を照明する光を発する発光手段と、
前記光により照明された前記被写体からの反射光を受光する受光手段と、
前記受光手段の出力を用いて前記反射光の輝度に関する輝度情報を生成し、該輝度情報に応じて前記発光手段を制御する制御手段とを有することを特徴とするレンズ装置。
【請求項２】
前記制御手段は、前記輝度情報が所定の上限値より高い輝度を示す場合に該発光部の発光輝度を減少させる又は該発光部を消灯させることを特徴とする請求項１に記載のレンズ装置。
【請求項３】
前記制御手段は、前記輝度情報が所定の下限値より低い輝度を示す場合に該発光部の発光輝度を増加させることを特徴とする請求項１または２に記載のレンズ装置。
【請求項４】
前記制御手段は、前記輝度情報が所定の上限値より低く、かつ所定の下限値より高い輝度を示す場合に該発光部の発光輝度を維持することを特徴とする請求項１から３のいずれか一項に記載のレンズ装置。
【請求項５】
前記発光手段と前記受光手段とがそれぞれ複数設けられており、
前記制御手段は、前記複数の受光手段の出力を用いて生成した前記輝度情報に応じて、前記複数の発光手段を個別に制御することを特徴とする請求項１から４のいずれか一項に記載のレンズ装置。
【請求項６】
被写体を照明する光を発する発光手段と前記光により照明された前記被写体からの反射光を受光する受光手段とを有するレンズ装置が取り外し可能に装着される撮像装置であって、
前記レンズ装置から、前記受光手段の出力に対応する受光情報を通信により取得する通信手段と、
前記受光情報を用いて前記反射光の輝度に関する輝度情報を生成し、該輝度情報に応じて前記発光手段を制御する制御手段とを有することを特徴とする撮像装置。
【請求項７】
前記制御手段は、前記輝度情報が所定の上限値より高い輝度を示す場合に該発光部の発光輝度を減少させる又は該発光部を消灯させることを特徴とする請求項６に記載の撮像装置。
【請求項８】
前記制御手段は、前記輝度情報が所定の下限値より低い輝度を示す場合に該発光部の発光輝度を増加させることを特徴とする請求項６または７に記載の撮像装置。
【請求項９】
前記制御手段は、前記輝度情報が所定の上限値より低く、かつ所定の下限値より高い輝度を示す場合に該発光部の発光輝度を維持することを特徴とする請求項６から８のいずれか一項に記載のレンズ装置。
【請求項１０】
前記レンズ装置には、前記発光手段と前記受光手段とがそれぞれ複数設けられており、
前記制御手段は、前記複数の受光手段の出力に対応する前記受光情報を用いて生成した前記輝度情報に応じて、前記複数の発光手段を個別に制御することを特徴とする請求項６から９のいずれか一項に記載の撮像装置。
【請求項１１】
撮像装置に取り外し可能に装着されるレンズ装置であり、被写体を照明する光を発する発光手段と前記光により照明された前記被写体からの反射光を受光する受光手段とを有するレンズ装置のコンピュータを動作せるコンピュータプログラムであって、
前記コンピュータに、
前記受光手段の出力を取得させ、
該受光手段の出力を用いて前記反射光の輝度に関する輝度情報を生成させ、
該輝度情報に応じて前記発光手段を制御させることを特徴とする発光制御プログラム。
【請求項１２】
被写体を照明する光を発する発光手段と前記光により照明された前記被写体からの反射光を受光する受光手段とを有するレンズ装置が取り外し可能に装着される撮像装置のコンピュータを動作させるコンピュータプログラムであって、
前記コンピュータに、
前記レンズ装置から、前記受光手段の出力に対応する受光情報を通信により取得させ、
前記受光情報を用いて前記反射光の輝度に関する輝度情報を生成させ、
該輝度情報に応じて前記発光手段を制御させることを特徴とする発光制御プログラム。
【発明の詳細な説明】
【技術分野】
【０００１】
本発明は、ＬＥＤ等の発光素子を有するレンズ装置およびこれが装着される撮像装置に関する。
【背景技術】
【０００２】
近接撮影（マクロ撮影）用のレンズ装置には、鏡筒の前端部に発光部が配置されたものがある。特許文献１には、交換レンズに外付けされたマクロ撮影用の照明装置を、撮像装置（一眼レフカメラ）の撮像素子によるライブビュー撮像によって得られたライブビュー映像から算出した被写体輝度が低輝度である場合に発光させる撮像装置が開示されている。また、特許文献２には、マクロ撮影において、被写体との距離に応じて鏡筒に設けられた発光部の発光輝度を制御する撮像装置が開示されている。
【先行技術文献】
【特許文献】
【０００３】
【特許文献１】特開２００７−３１２２６８号公報
【特許文献２】特開２００７−１７１５１８号公報
【発明の概要】
【発明が解決しようとする課題】
【０００４】
しかしながら、特許文献１に開示されているライブビュー映像から算出した被写体輝度に基づいて照明装置の発光を制御する構成は、クイックリターンミラーを撮影光路から退避させた状態でのライブビュー撮像ができない撮像装置には適用することが難しい。また、特許文献２にて開示された撮像装置のように被写体との距離のみに応じて発光部の発光輝度を制御すると、光沢物等の反射率が高い被写体を撮像する際に輝度飽和（白飛び）が生じるおそれがある。一方、被写体との距離がある程度長く、被写体の反射率が低い場合には、発光量が不足して暗い撮影画像が生成されるおそれがある。
【０００５】
本発明は、レンズ装置が発光部を有する場合において、ライブビュー映像や被写体までの距離によらずに発光部を適切に制御することができるようにしたレンズ装置および撮像装置を提供する。
【課題を解決するための手段】
【０００６】
本発明の一側面としてのレンズ装置は、撮像装置に取り外し可能に装着される。該レンズ装置は、被写体を照明する光を発する発光手段と、該光により照明された被写体からの反射光を受光する受光手段と、該受光手段の出力を用いて反射光の輝度に関する輝度情報を生成し、該輝度情報に応じて発光手段を制御する制御手段とを有することを特徴とする。
【０００７】
また、本発明の他の一側面としての撮像装置は、被写体を照明する光を発する発光手段と該光により照明された被写体からの反射光を受光する受光手段とを有するレンズ装置が取り外し可能に装着される。該撮像装置は、レンズ装置から、受光手段の出力に対応する受光情報を通信により取得する通信手段と、受光情報を用いて反射光の輝度に関する輝度情報を生成し、該輝度情報に応じて発光手段を制御する制御手段とを有することを特徴とする。
【０００８】
なお、レンズ装置や撮像装置のコンピュータに上述した発光手段の制御を行わせるコンピュータプログラムとしての発光制御プログラムも、本発明の他の一側面を構成する。
【発明の効果】
【０００９】
本発明によれば、レンズ装置が被写体を照明する発光手段を有する場合において、ライブビュー映像や被写体までの距離を用いることなく、被写体が適切な輝度で撮像されるように発光手段を制御することができる。
【図面の簡単な説明】
【００１０】
【図１】本発明の実施例１である交換レンズとカメラの構成を示すブロック図。
【図２】実施例１における交換レンズとカメラの外観図。
【図３】実施例１における発光制御および撮像制御を示すフローチャート。
【図４】実施例１の交換レンズの変形例を示す図。
【図５】本発明の実施例２であるカメラと交換レンズの構成を示すブロック図。
【図６】実施例２における発光制御および撮像制御を示すフローチャート。
【発明を実施するための形態】
【００１１】
以下、本発明の実施例について図面を参照しながら説明する。
【実施例１】
【００１２】
図１には、本発明の実施例１であるレンズ装置としての交換レンズ１と該交換レンズ１が取り外し可能に装着された撮像装置としてのカメラ５の構成を示している。図２には、交換レンズ１およびカメラ５を被写体側から見たときの外観を示している。
【００１３】
図１に示すカメラ５において、５１はカメラマイクロコンピュータとしてのカメラＣＰＵである。カメラＣＰＵ５１は、カメラ５内の各部の動作を制御する。また、カメラＣＰＵ５１は、カメラ５に装着された交換レンズ１内に設けられたレンズマイクロコンピュータとしてのレンズＣＰＵ１０１と電気接点５２，１０２を介して通信を行う。カメラＣＰＵ５１は、レンズＣＰＵ１０１に対して、フォーカス駆動命令や絞り駆動命令等を送信する。また、レンズＣＰＵ１０１は、カメラＣＰＵ５１に対して、撮像倍率情報等のレンズ情報を送信する。なお、電気接点５２，１０２には、カメラ５から交換レンズ１に電源を供給するための電源接点が含まれている。
【００１４】
５３はユーザにより操作可能な電源スイッチであり、カメラ５および交換レンズ１内の各部への電源供給を開始したり遮断したりするためのスイッチである。
【００１５】
図２にも示す５４はユーザにより操作可能なレリーズスイッチであり、第１ストロークスイッチＳＷ１と第２ストロークスイッチＳＷ２とを有する。レリーズスイッチ５４からの信号は、カメラＣＰＵ５１に入力される。カメラＣＰＵ５１は、第１ストロークスイッチＳＷ１からのＯＮ信号の入力に応じて撮像準備動作を制御する。撮像準備動作は、測光部５５による被写体輝度の測定動作と、焦点検出部５６による撮影光学系の焦点状態の検出動作とを含む。カメラＣＰＵ５１は、測光結果に基づいて絞りユニット１０６の絞り値や撮像部５８の露光量（シャッタ秒時）等を演算する。
【００１６】
また、カメラＣＰＵ５１は、焦点検出部５６による焦点状態の検出結果である焦点情報（デフォーカス量および方向）に基づいて、被写体に対する合焦状態を得るためのフォーカス駆動部１１０の駆動量および方向を算出する。これら駆動量および方向の情報は、フォーカス駆動命令に含めてレンズＣＰＵ１０１に送信される。
【００１７】
第２ストロークスイッチ（ＳＷ２）からのＯＮ信号が入力されたカメラＣＰＵ５１は、レンズＣＰＵ１０１に対して絞り駆動命令を送信し、絞りユニット１０４を測光結果に基づいて演算した絞り値に設定させる。さらに、カメラＣＰＵ５１は、露光部５７に露光開始命令を送信し、不図示のクイックリターンミラーの撮影光路からの退避動作や不図示のシャッタの開放動作を行わせる。そして、カメラＣＰＵ５１は、撮像素子を含む撮像部５８にて、交換レンズ１内の撮影光学系により形成された被写体像の光電変換、すなわち撮像を行わせる。撮像部５８から出力されるアナログ撮像信号は、カメラＣＰＵ５１内の信号処理部にてデジタル信号に変換され、該デジタル信号に各種処理が行われることで画像信号が生成される。画像信号（画像データ）は、画像記録部５９において半導体メモリや光ディスク等の記録媒体に記録保存される。
【００１８】
制御手段としてのレンズＣＰＵ１０１は、上述した絞りユニット１０４に加えて、交換レンズ１の各部の動作を制御する。交換レンズ１において、１０３は変倍（ズーム）レンズ群であり、光軸方向に移動して焦点距離を変更する。１０７はズーム駆動部であり、ユーザによるズーム操作リングの操作に連動してズームレンズ群１０３を光軸方向に移動させる。
【００１９】
絞りユニット１０４は、絞り羽根を開閉方向に動作させることで光量を調節する。１０８は絞り駆動部であり、カメラＣＰＵ５１からの絞り駆動命令に応じて絞りモータを駆動することで絞り羽根を動作させ、絞りユニット１０４を指定された絞り値に設定する。
【００２０】
１０６はフォーカスレンズ群であり、光軸方向に移動して焦点調節を行う。１１０はフォーカス駆動部であり、フォーカスモータを駆動してフォーカスレンズ群１０６を光軸方向に移動させる。カメラＣＰＵ５１から送信されたフォーカス駆動命令を受けたレンズＣＰＵ１０１は、フォーカス駆動部１１０を制御することでフォーカスレンズ群１０６を移動させ、合焦動作を行う。
【００２１】
１０５は防振ユニットであり、光軸に直交する面内で防振レンズを移動（シフト）させることで、手振れ等のカメラ振れに起因する像振れを補正（低減）する。１０９は防振ユニット駆動部であり、シフトアクチュエータを駆動して防振レンズをシフトさせる。
【００２２】
ズームレンズ群１０３、絞りユニット１０４、フォーカスレンズ群１０６および防振レンズにより撮影光学系が構成される。
【００２３】
１１６はジャイロセンサ（角速度センサ）や加速度センサにより構成される振れセンサである。振れセンサ１１６は、交換レンズ１（つまりはカメラ５）の角度振れである縦（ピッチ）振れと横（ヨー）振れの角速度を示す角速度信号や光軸方向の振れである平行振れにおける加速度を示す加速度信号をレンズＣＰＵ１０１に出力する。レンズＣＰＵ１０１は、振れセンサ１１６からの角速度信号に基づいて、防振ユニット駆動部１０９を通じて防振ユニット１０５を駆動することで角度振れによる像振れを補正する。また、レンズＣＰＵ１０１は、振れセンサ１１６からの加速度信号に基づいて、フォーカス駆動部１１０を通じてフォーカスレンズ群１０６を駆動することで平行振れによる像振れを補正する。
【００２４】
２は発光部（発光手段）であり、ＬＥＤ等の発光素子と、プリズムや反射板等からなるライトガイドとにより構成されている。本実施例では、図２に示すように交換レンズ１のうち撮影光学系を収容する鏡筒の被写体側の端部（前端部）における周方向複数箇所（撮影光学系を挟む左右２箇所）に２つの発光部２が設けられている。各発光部２において、発光素子からの光をライトガイドによって鏡筒の周方向に導き、ライトガイドの出射面の全体から出射させる・これにより、被写体を均一に照明することができる。
【００２５】
３はフォトダイオード等の受光素子により構成される受光部（受光手段）であり、入射した光の強度に応じた光検出信号を出力する。本実施例では、図２に示すように鏡筒の前端部における周方向複数箇所（撮影光学系を挟む左右２箇所）に２つの受光部３が設けられている。このように、発光部２が鏡筒の前端部に配置されることで、マクロ撮影時に撮影光学系を被写体に近づけた状態でも、カメラ５側からの照明光が鏡筒によってけられるような不都合なく、被写体を良好に照明することができる。また、受光部３が鏡筒の前端部に配置されることで、同様にマクロ撮影時に撮影光学系を被写体に近づけた状態でも、発光部２からの光により照明された被写体からの反射光を良好に受光することができる。
【００２６】
なお、図２に示した発光部２および受光部３の数および位置は例であり、発光部２および受光部３を１つずつ設けてもよいし、発光部２および受光部３を３つ以上ずつ設けてもよい。例えば、図４に示すように、発光部２および受光部３を周方向４５°間隔で８つずつ、かつ交互に設けてもよい。さらに、発光部２の数と受光部３の数が異なっていてもよい。
【００２７】
４は照明スイッチであり、図２に示すように、交換レンズ１の外周面に設けられている。ユーザが照明スイッチ４を操作することにより、発光部２を点灯させたり消灯させたりすることができる。
【００２８】
１１４はレンズＣＰＵ１０１内に設けられた反射輝度算出部であり、２つの受光部３の出力である光検出信号から被写体からの反射光の輝度に関する輝度情報（以下、反射輝度という）を算出する。
【００２９】
１１５はレンズＣＰＵ１０１内に設けられた発光制御部であり、反射輝度算出部１１４にて算出された反射輝度に応じて発光部２を制御する。ここにいう発光部２の制御には、発光部２の発光輝度や発光量（＝発光輝度×時間）を増減させることを含み、さらには発光部２を点灯および消灯させることを含む。
【００３０】
例えば、発光制御部１１５は、発光部２が発光している状態で白飛びが生じない反射輝度の上限閾値（所定の上限値）を予め記憶しておく。そして、反射輝度算出部１１４で算出された反射輝度が上限閾値より高い場合は各発光部２の発光量を減少させる。この際、複数の発光部２のそれぞれの発光量を、複数の受光部３の光検出信号から得られる反射輝度に応じて個別に減少させたり維持したりしてもよい。例えば、被写体の左側と右側のうち一方の反射輝度が上限閾値より高く（つまりは一方の反射率が高く）、他方の反射輝度が上限閾値より低い（他方の反射率が低い）場合に、該一方の発光部２の発光量を該他方の発光部２の維持された発光量より少なくしてもよい。また、発光制御部１１５は、複数の発光部２のうち発光させる発光部を、複数の受光部３からの光検出信号から得られる反射輝度に応じて選択する（つまりは発光部２を個別に点灯および消灯させる）ようにしてもよい。例えば上述した例において、上記一方の発光部２を消灯し、上記他方の発光部２を点灯するようにしてもよい。
【００３１】
さらに例えば、発光制御部１１５は、暗い部分の階調が失われる黒潰れが生じない反射輝度の下限閾値（所定の下限値）を予め記憶しておき、反射輝度算出部１１４で算出された反射輝度が下限閾値より低い場合に各発光部２の発光量を増加させてもよい。この場合でも、被写体の左側と右側のうち一方に黒潰れが生じ、他方に黒潰れが生じなければ、該一方の発光部２の発光量を該他方の発光部２の維持された発光量より多くしてもよい。
【００３２】
図３のフローチャートには、レンズＣＰＵ１０１が行う発光部２の発光制御とカメラＣＰＵ５１が行う撮像制御の流れを示している。レンズＣＰＵ１０１は、ステップＳ１〜Ｓ４においてコンピュータプログラムである発光制御プログラムに従って発光制御を行う。また、カメラＣＰＵ５１は、ステップＳ５〜Ｓ９においてコンピュータプログラムである撮像制御プログラムに従って撮像制御を行う。
【００３３】
ステップＳ１では、レンズＣＰＵ１０１は、ユーザにより照明スイッチ４がオン操作されることに応じて、発光部２を点灯（ＯＮ）させる。これにより、発光部２からの照明光により被写体が照明される。
【００３４】
次にステップＳ２では、レンズＣＰＵ１０１（反射輝度算出部１１４）は、受光部３からの出力である光検出信号を読み込み、該光検出信号から反射輝度を算出する。
【００３５】
次にステップＳ３では、レンズＣＰＵ１０１は、ステップＳ２で算出した反射輝度が適正か否か、すなわち現在の発光部２の発光量で白飛びや黒潰れが発生しないか否かを判定する。具体的には、ステップＳ２で算出した反射輝度が上述した上限閾値や下限閾値よりも高いか低いかを判定する。反射輝度が適正である場合はステップＳ５に進み、適正でない場合はステップＳ４に進む。
【００３６】
ステップＳ４では、レンズＣＰＵ１０１（発光制御部１１５）は、白飛びや黒潰れが生じないように複数の発光部２の発光量を一括して又は個別に制御（調整）する。そして、ステップＳ２に戻って再び反射輝度を算出し、ステップＳ３で反射輝度が適正か否かを判定する。反射輝度が適正でなければ、再びステップＳ４の処理を行う。こうして反射輝度が適正となるまで、ステップＳ２〜ステップＳ４の処理を繰り返す。
【００３７】
ステップＳ５では、カメラＣＰＵ５１は、第１ストロークスイッチＳＷ１からＯＮ信号（ＳＷ１−ＯＮ信号）が入力されたか否かを判定する。ＳＷ１−ＯＮ信号が入力されると、カメラＣＰＵ５１は、ステップＳ６に進み、前述した撮像準備動作を開始する。
【００３８】
撮像準備動作が終了すると、カメラＣＰＵ５１は、ステップＳ７において、第２ストロークスイッチＳＷ２からＯＮ信号（ＳＷ２−ＯＮ信号）が入力されたか否かを判定する。ＳＷ２−ＯＮ信号が入力されると、カメラＣＰＵ５１は、ステップＳ８に進み、撮像を開始する。撮像により撮影画像が得られると、カメラＣＰＵ５１は、ステップＳ９において該撮影画像を記録媒体に記録する。以上で発光部２の発光制御から撮像制御までの一連の制御を終了する。
【００３９】
以上説明したように、本実施例では、交換レンズ１に発光部２と受光部３を設け、さらに反射輝度算出部１１４および発光制御部１１５を含むレンズＣＰＵ１０１を設けている。このため、本実施例によれば、レンズ交換型のカメラであればその種類にかかわらず、被写体が適切な輝度で撮像されるように発光部２を制御することができる。しかも、従来のようにライブビュー映像や被写体までの距離を用いることなく、発光部２を制御することができる。
【００４０】
なお、本実施例ではレンズ交換型カメラに装着される交換レンズについて説明したが、撮影光学系および鏡筒がカメラに一体に設けられたレンズ一体型カメラにも本実施例で説明した発光制御および撮像制御を適用することができる。この場合、反射輝度算出部１１４および発光制御部１１５を含むレンズＣＰＵ１０１の機能をカメラＣＰＵ５１に統合すればよい。
【実施例２】
【００４１】
図５には、本発明の実施例２である撮像装置としてのカメラ６と該カメラ６に取り外し可能に装着されたレンズ装置としての交換レンズ７の構成を示している。なお、図５において、実施例１（図１）に示した構成要素と共通する構成要素には実施例１と同符号を付して説明に代える。
【００４２】
交換レンズ７に設けられたレンズＣＰＵ２０１には実施例１のレンズＣＰＵ１０１に設けられた反射輝度算出部１１４および発光制御部１１５は設けられていない。その代わり、カメラ６に設けられたカメラＣＰＵ６１に、反射輝度算出部２１４および発光制御部２１５が設けられている。交換レンズ７およびカメラ６における他の構成は、実施例１と同じである。
【００４３】
図６のフローチャートには、カメラＣＰＵ６１が行う発光部２の発光制御と撮像制御の流れを示している。カメラＣＰＵ６１は、ステップＳ２１〜Ｓ２４においてコンピュータプログラムである発光制御プログラムに従って発光制御を行い、ステップＳ５〜Ｓ９においてコンピュータプログラムである撮像制御プログラムに従って撮像制御を行う。なお、ステップＳ５〜Ｓ９の処理は実施例１（図３）中のステップＳ５〜Ｓ９の処理と同じであるため、説明を省略する。
【００４４】
ステップＳ２１において、カメラＣＰＵ６１は、レンズＣＰＵ２０１から交換レンズ７の鏡筒の前端部に複数設けられた発光部２が点灯（ＯＮ）しているか否かを示す情報を通信より取得する。発光部２が点灯している場合はステップＳ２２に進む。
【００４５】
ステップＳ２２では、カメラＣＰＵ６１は、レンズＣＰＵ２０１から鏡筒の前端部に複数設けられた受光部３の出力（光検出信号）に対応する受光情報を通信により取得する。受光情報は、例えば、光検出信号をカメラＣＰＵ６１内での処理に適したデータ形式に変換することで生成された情報である。なお、アナログ信号である光検出信号をレンズＣＰＵ２０１がデジタル信号に変換したものを受光情報として扱ってもよい。
【００４６】
次にステップＳ２３では、カメラＣＰＵ６１（反射輝度算出部２１４）は、ステップＳ２２で取得した受光情報から反射輝度を算出する。
【００４７】
次にステップＳ２４では、カメラＣＰＵ６１は、ステップＳ２３で算出した反射輝度が適正か否か、すなわち現在の発光部２の発光量で白飛びや黒潰れが発生しないか否かを判定する。具体的には、ステップＳ２３で算出した反射輝度が実施例１でも説明した上限閾値や下限閾値よりも高いか低いかを判定する。反射輝度が適正である場合はステップＳ５に進み、適正でない場合はステップＳ２５に進む。
【００４８】
ステップＳ２５では、カメラＣＰＵ６１（発光制御部２１５）は、白飛びや黒潰れが生じないように複数の発光部２の発光量を一括して又は個別に制御（調整）する。ここでの制御は、実施例１の発光制御部１１５による制御と同様である。そして、ステップＳ２３に戻って再び反射輝度を算出し、ステップＳ２４で反射輝度が適正か否かを判定する。反射輝度が適正でなければ、再びステップＳ２５の処理を行う。こうして反射輝度が適正となるまで、ステップＳ２３〜ステップＳ２５の処理を繰り返す。
【００４９】
以上説明したように、本実施例では、交換レンズ７に発光部２と受光部３を設け、カメラ６に反射輝度算出部２１４および発光制御部２１５を設けている。このため、本発明によれば、交換レンズ７に反射輝度算出部や発光制御部を設けなくても、被写体が適切な輝度で撮像されるように発光部２を制御することができる。しかも、従来のようにライブビュー映像や被写体までの距離を用いることなく、発光部２を制御することができる。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００５０】
以上説明した各実施例は代表的な例にすぎず、本発明の実施に際しては、各実施例に対して種々の変形や変更が可能である。
【符号の説明】
【００５１】
１，７  交換レンズ
２  発光部
３  受光部
５，６  カメラ
１１４，２１４  反射輝度算出部
１１５，２１５  発光量制御部
【図１】
2017142410.tif 000003
【図２】
2017142410.tif 000004
【図３】
2017142410.tif 000005
【図４】
2017142410.tif 000006
【図５】
2017142410.tif 000007
【図６】
2017142410.tif 000008